(57)【要約】【課題】スペース効率に優れるとともに、設置のための工事期間が短く、また、メンテナンスが容易であり、さらに耐塵埃性に優れ、建築コスト及びランニングコストの低減が実現できる照明装置及びそれを用いたシステム天井を提供する。【解決手段】上端に前記上階スラブへの取付部が設けられるとともに、該取付部の下方が中空部とされた天井フレームを具備し、該天井フレームは、前記中空部の下方に収納凹部が設けられているとともに、該収納凹部が下方に向けて開口されており、前記収納凹部の内部に、発光ダイオードと、該発光ダイオードの出射光を反射させるリフレクタと、これら発光ダイオード及びリフレクタが複数取り付けられる照明筐体とからなる照明モジュールが組み込まれてなる構成としている。【選択図】図１
2008226659.tif 000002
【特許請求の範囲】
【請求項１】
上端に建物天井へ吊設するための取付部が設けられるとともに、該取付部の下方が中空部とされた天井フレームを具備し、
該天井フレームは、前記中空部の下方に収納凹部が設けられているとともに、該収納凹部が下方に向けて開口されており、
前記収納凹部の内部に、発光ダイオードと、該発光ダイオードの出射光を反射させるリフレクタと、これら発光ダイオード及びリフレクタが複数取り付けられる照明筐体とからなる照明モジュールが組み込まれてなることを特徴とする照明装置。
【請求項２】
前記中空部に、前記発光ダイオードに電源を供給するケーブルが配されていることを特徴とする請求項１に記載の照明装置。
【請求項３】
前記中空部に、さらに、前記発光ダイオードに電源を供給する電源装置が備えられていることを特徴とする請求項２に記載の照明装置。
【請求項４】
前記照明モジュールは、前記天井フレームに備えられた収納凹部の内部に着脱可能に組み込まれていることを特徴とする請求項１〜３の何れか１項に記載の照明装置。
【請求項５】
請求項１〜４の何れか１項に記載の照明装置が複数備えられているとともに、該照明装置の天井フレームに設けられた収納凹部の上面に、空調ユニット、エアフィルタユニット又は遮蔽パネルの少なくとも何れかが、各々の縁部が戴置されるように備えられてなることを特徴とするシステム天井。
【発明の詳細な説明】
【技術分野】
【０００１】
本発明は、クリーンルーム等の天井に取り付けられる照明装置及びそれを用いたシステム天井に関する。
【背景技術】
【０００２】
従来、精密機器の製造工程や検査工程、あるいは研究機関等において用いられるクリーンルームでは、例えば、図７（ａ）〜（ｃ）に示すような天井フレーム構造とされた照明装置１００が知られている。この照明装置１００は、上端の取付部１０２が建物天井（スラブ）に吊設され、下方に設けられたメインフレーム１０３の下面に、蛍光灯１１０ａ等からなる照明器具１１０が突出するように取り付けられた構成とされている。そして、天井フレーム１０１に備えられた中空部１０４内には、照明装置１００を建物天井に取り付けた後工程で配電ケーブル１１１を配線し、照明器具１１０に対して電源を供給できる構成とされている。
また、一般に、上述のような照明装置は、建物天井に取り付けて用いられることから、ビス等による取り付けを可能にするため、図示例の天井フレーム１０１のような逆Ｔ字状とされた筐体が用いられている。
【０００３】
そして、図７に示すような照明装置１００は、建物天井に対し、例えば、梁状の支持体と組み合わせることで格子状に取り付けられ、複数組み合わせて用いられる。そして、メインフレームの上面１０３ａの内、中空部１０４との接続箇所以外の領域に、図示略の空調システムやＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）ユニット、又は遮蔽パネル等が、格子状に組み合わされた照明装置１００と梁状支持体の間に嵌め込まれるようにして各々の縁部が載置されることにより、クリーンルーム等の室内においてシステム天井を構成することができる。
【０００４】
しかしながら、図７に示すような従来のクリーンルームで用いられる照明装置１００は、照明器具１１０がメインフレーム１０３の下方に突出して取り付けられた構成なので、室内の有効階高が低くなり、例えば空間に限りのあるクリーンルーム等に設置した場合、スペース効率が低下するとともに、クリーンルーム内での各種作業の際に、蛍光灯１１０ａに使用者の体や器具が接触して蛍光灯１１０ａを破損する虞がある等の問題がある。
また、クリーンルーム等の内部の所定有効階高を確保する場合には、建物天井の高さを照明器具１１０の突出寸法分だけ嵩上げして施工する必要が生じ、建設コストが上昇するという問題がある。さらに、建物天井を高く嵩上げした場合、クリーンルーム内において無駄なスペースが生じ、余分な空気を循環、空調及び清浄化することにより、ランニングコストが上昇するという問題がある。
【０００５】
上述のような、従来の照明装置並びにシステム天井の問題点を解消するため、天井フレームのメインフレームに照明器具が収納される収納凹部を設け、この収納凹部に反射傘と蛍光灯とを備えた照明器具を組み込み、さらに、メインフレームに空気導入孔を形成して前記反射傘に空気を通過させることが可能とされた、照明装置並びにシステム天井が提案されている。（例えば、特許文献１）。
【０００６】
特許文献１に記載の、天井フレーム構造を備えた照明装置によれば、上述のように、天井フレームの内部に照明器具が収納されているので、クリーンルーム内のスペース効率を低下させることがなく、また、建物天井を嵩上げして施工する必要が無いので、建設コストやランニングコストが上昇することが無いというものである。また、特許文献１によれば、空気導入孔を設け、この空気導入孔から内部に空気を導入する構成により、蛍光灯菅上に塵埃が体積するのを防止できるというものである。
【０００７】
しかしながら、特許文献１に記載されたような照明装置を設置する場合、建物天井の施工後に該建物天井に吊設された天井フレームに対して、建物天井裏側から垂れ下げられて供給される配電ケーブルを電気工事士がフレーム毎に取り付ける際、大きな手間を要するという問題がある。例えば、配電ケーブルを各天井フレームに給電配線しながら先端被覆を剥離させて剥き線とし、各蛍光灯具の端子台に接続するとともに、蛍光灯と１本ずつ設置する作業を行うため、工期短縮を図るのが困難であった。
また、クリーンルームにおいては、施工設置後の蛍光灯交換作業を、照明使用時間によって異なるものの概ね２年単位で実施することが必要となるが、特許文献１に記載された天井フレームは、狭い天井フレーム内に蛍光灯を組み込んだ構成であり、蛍光灯交換の際の作業性が低く、メンテナンスの際の手間と費用が増大するという問題があった。
【０００８】
また、特許文献１に記載の天井フレームは、上述のような空気導入孔が設けられた構成のため、上述した蛍光灯菅上に塵埃が体積するのは抑制できる一方、大量の塵埃がメインフレーム内に入り込む虞があり、蛍光灯及び電源装置等に悪影響を与えてしまうという問題があった。
【特許文献１】特許第３５６２６０２号公報
【発明の開示】
【発明が解決しようとする課題】
【０００９】
本発明は上記問題に鑑みてなされたものであり、スペース効率に優れるとともに、設置のための工事期間が短く、また、メンテナンスが容易であり、さらに耐塵埃性に優れ、建築コスト及びランニングコストの低減が実現できる照明装置及びそれを用いたシステム天井を提供することを目的とする。
【課題を解決するための手段】
【００１０】
本発明者等は、上記問題を解決するために鋭意検討した結果、以下に示す発明を完成するに至った。
【００１１】
［１］  上端に前記上階スラブへの取付部が設けられるとともに、該取付部の下方が中空部とされた天井フレームを具備し、該天井フレームは、前記中空部の下方に収納凹部が設けられているとともに、該収納凹部が下方に向けて開口されており、前記収納凹部の内部に、発光ダイオードと、該発光ダイオードの出射光を反射させるリフレクタと、これら発光ダイオード及びリフレクタが複数取り付けられる照明筐体とからなる照明モジュールが組み込まれてなることを特徴とする照明装置。
［２］  前記中空部に、前記発光ダイオードに電源を供給する配電ケーブルが配されていることを特徴とする［１］に記載の照明装置。
［３］  前記中空部に、さらに、前記発光ダイオードに電源を供給する電源装置が備えられていることを特徴とする［２］に記載の照明装置。
［４］  前記照明モジュールは、前記天井フレームに備えられた収納凹部の内部に着脱可能に組み込まれていることを特徴とする［１］〜［３］の何れかに記載の照明装置。
【００１２】
［５］  上記［１］〜［４］の何れかに記載の照明装置が複数備えられているとともに、該照明装置の天井フレームに設けられた収納凹部の上面に、空調ユニット、エアフィルタユニット又は遮蔽パネルの少なくとも何れかが、各々の縁部が戴置されるように備えられてなることを特徴とするシステム天井。
【発明の効果】
【００１３】
本発明の照明装置及びそれを用いたシステム天井によれば、天井フレームに、照明モジュールを収納する収納凹部を設けて、該収納凹部に照明モジュールを組み込んだ構成なので、クリーンルーム等の設置場所において、容易に照明装置並びにシステム天井の組み付け作業を行うことができ、短い工事期間で設置することが可能となり、また、照明モジュールが設置場所に突出することが無いので、設置場所のスペースを有効に使用することが可能となる。
【００１４】
また、複数の発光ダイオード並びにリフレクタが備えられた照明モジュールとすることにより、蛍光灯等の発光体を使用した照明に比べて長寿命となるので、設置場所における交換作業等の頻度を低減することができる。また、照明モジュールの交換の必要が生じた場合でも、複数の発光ダイオードが備えられた照明モジュールをワンタッチで容易に脱着できるので、安全且つ容易に交換作業を行うことが可能となる。また、照明モジュールが外部に露出しない構成なので、発光手段である発光ダイオードに使用者の体や器具が接触することが無いため、照明モジュールの破損等を防止することができるとともに、照明モジュールに塵埃等が堆積するのを防止することができる。
従って、スペース効率及び設置工事時の作業性に優れるとともに、メンテナンス並びに耐塵埃性に優れ、建築コスト及びランニングコストの低減が実現できる照明装置及びそれを用いたシステム天井が得られる。
【発明を実施するための最良の形態】
【００１５】
以下に、本発明に係る照明装置及びそれを用いたシステム天井の一実施形態について、図１〜６を適宜参照しながら説明する。
本発明に係る照明装置は、例えば、クリーンルーム等において建物天井に吊設されて用いられるものであり、この照明装置を複数組み合わせ、さらに支持梁等が組み合わせることにより、例えば格子状に形成された状態としたうえで（図６を参照）、空調ユニット、エアフィルタユニット又は遮蔽パネル等を組み付けることにより、本発明に係るシステム天井が得られるものである。
【００１６】
［照明装置］
本実施形態の照明装置１は、図１の断面図に示すように、上端に建物天井へ吊設するための取付部３が設けられるとともに、取付部３の下方が中空部４とされた天井フレーム２を具備し、該天井フレーム２は、中空部４の下方に収納凹部５１が設けられているとともに、収納凹部５１が下方に向けて開口されており、収納凹部５１の内部に、発光ダイオード６２と、該発光ダイオード６２の出射光を反射させるリフレクタ６３と、これら発光ダイオード６２及びリフレクタ６３が複数取り付けられる照明筐体６１とからなる照明モジュール６が組み込まれてなり、概略構成される。
【００１７】
本実施形態の照明装置１では、筐体となる天井フレーム２が、取付部３と中空部４とメインフレーム５とが一体化した構成とされており、天井フレーム２は、例えば、アルミニウム合金材料等を押し出し成形することによって低コストに得られるものである。
【００１８】
取付部３は、図１に示す例において天井フレーム２の上端に設けられ、照明装置１をクリーンルーム等の建物天井に吊設する際に、ボルト等を用いて天井に固定されることにより、照明装置１全体を懸吊状態に支持するものである。
図示例の取付部３は、図示略のボルトによって建物天井に懸吊できるように、スリット３ａが設けられた構成とされているが、取付部の構成はこれには限定されず、適宜設計して用いることが可能である。
【００１９】
中空部４は、上述の取付部３の下方に設けられ、外枠４１によって中空の内部空間４ａが形成されてなる。
この内部空間４ａは、後述する発光ダイオードに電流を供給するためのケーブル７や電源装置８等を配する空間として用いることができ、この場合には、安全であり且つ美麗な配線構成が可能になる。
【００２０】
収納凹部５１は、天井フレーム２の下部に配されたメインフレーム５によって形成され、下向きに開口する凹部であり、図１に示すように、開口部５１ａが下方に向けて開口して構成されている。
収納凹部５１は、内部空間に照明モジュール６が組み込まれ、図１に示す例では、コの字型の照明筐体６１が備えられた照明モジュール６が、弾性部材６８ａを有するねじ込みノブ６８により、メインフレーム５に設けられた係止部５８に対して、ワンタッチで着脱可能な構成として取り付けられている。この際、照明モジュール６は、開口部５１ａから収納して固定する。
また、本例の収納凹部５１には、開口部５１ａを覆うとともに、内部の照明モジュール６の出射光が外部に透過可能とされた透明カバー５２ａが備えられてなる蓋部５２が取り付けられている。図示例の蓋部５２は、開口部５１ａに対し、爪部５２ｂが収納凹部５１内の内縁部５１ｂに係止する片側引っ掛け構造とされ、皿ねじ５７によってねじ止めされ、固定されるように構成されている。
【００２１】
照明モジュール６の一例を、図２（ａ）、（ｂ）に示す。本例では、複数の発光ダイオード６２と、該発光ダイオード６２の周囲を取り囲むように形成されて反射光を反射させるリフレクタ６３とが照明筐体６１に取り付けられて構成される。
また、照明モジュール６は、平面視で長方形状のリフレクタ６３に、複数の発ダイオード６２が取り付けられた実装基板６４が組みつけられ、これらが照明筐体６１内に配列された構成とされている。また、図示例では、各発光ダイオード６２が組み合わされるリフレクタ孔６３ｃが、等間隔をおいて一直線上に配置されている。
【００２２】
照明筐体６１は、発光ダイオード６２が取り付けられる実装基板６４、及びリフレクタ６３が取り付けられる筐体である。本実施形態の照明筐体６１は、図１に示す例では、金属板が折り曲げられ、コの字状に形成されている。
また、照明筐体６１の上面６１ａ側には、上述した弾性部材６８ａを有するねじ込みノブ６８が設けられている。
【００２３】
発光ダイオード６２としては、例えば、従来公知のＬＥＤチップを何ら制限無く用いることができる。図２（ａ）、（ｂ）に示す例では、発光ダイオード６２が蛍光体含有透明樹脂体６０（蛍光体含有透明樹脂）に被覆された状態で実装基板６４上のチップ実装部に実装され、さらに、詳細を後述する複数のリフレクタ孔６３ｃを具備するリフレクタ６３が組み合わされることにより、発光ダイオード６２の各々の出射光が反射され、光が一定方向へ向けて照射される構成とされている。発光ダイオード６２が取り付けられる実装基板６４としては、従来公知のプリント基板等を何ら制限無く用いることができる。
【００２４】
また、図３（ａ）、（ｂ）の部分拡大図に示すように、本実施形態の照明モジュール６は、リフレクタ孔６３ｃ内に３個の発光ダイオード６２が組み合わされる３チップ構成とされており、これら発光ダイオード６２が蛍光体含有透明樹脂体６０に被覆された状態とされている。図示例では、アルミニウムからなる基板本体６４ａと、該基板本体６４ａ上に積層された絶縁層６４ｂと、該絶縁層６４ｂ上に形成されたＣｕ等の導体からなる配線パターン６４ｃとからなる実装基板６４上において、１箇所のリフレクタ孔６３ｃ内に３個の発光ダイオード６２が組み合わせられている。配線パターン６４ｃは、一対の取出電極パターン６４ｅ、６４ｅと、各取出電極パターン６４ｅの一端側から実装基板６４のほぼ中央に向かって延在する６本の端子電極パターン６４ｆとから構成されている。各端子電極パターン６４ｆには、３つの発光ダイオード６２がそれぞれ接続されており、これにより、各発光ダイオード６２が相互に並列に接続されている。
【００２５】
また、本実施形態では、図３（ａ）、（ｂ）に示す例のように、３個の発光ダイオード６２が、実装基板６４に設けられたチップ実装部のほぼ中央に実装されている。
本例の発光ダイオード６２は、その詳細な図示を省略するが、フェイスアップ構造を有しており、発光ダイオード６２の正電極及び負電極はそれぞれ実装基板６４に接する面と反対側の面に向けられている。そして、図示略のワイヤボンディングによって、正電極及び負電極と端子電極パターン６４ｆとが電気的に接続されている。発光ダイオード６２のサイズは特に限定されないが、０．１ｍｍ〜３０ｍｍ角の大きさが好ましい。
【００２６】
また、発光ダイオード６２は、上述したように、モールド成型された蛍光体含有透明樹脂体６０によって完全に被覆されており、発光ダイオード６２から出射された光が全て蛍光体含有透明樹脂体６０に入射するように構成されている。このような構成により、例えば、発光ダイオード６２として青色発光ダイオードを用い、蛍光体含有透明樹脂に含まれる蛍光体として黄色蛍光体を用いることで、白色光を出射できるようになっている。
【００２７】
リフレクタ６３は、図２（ａ）、（ｂ）又は図３（ａ）、（ｂ）に示すように、例えば、アルミニウムまたはアルミニウム合金からなるリフレクタ本体６３ａに、放物面に形成された反射面６３ｂからなるリフレクタ孔６３ｃが設けられて概略構成されている。また、本実施形態のリフレクタ６３は、図２（ａ）、（ｂ）に例示する概略図のように、複数のリフレクタ孔６３ｃが、実装基板６４上に取り付けられた複数の発光ダイオード６２の数及び位置に合わせるように一列に配列されており、全体形状が平面視で略長方形状とされている。
【００２８】
また、リフレクタ本体６３ａは、その一面６３ｄが実装基板６４に向けられるとともに、他面６３ｅが実装基板６４側とは反対側に向けられた状態で実装基板６４上に載置されている。リフレクタ本体６３ａには、一面６３ｄと他面６３ｅとの間を貫通する上記リフレクタ孔６３ｃが形成されており、このリフレクタ孔６３ｃを区画する壁面が上記反射面６３ｂとされている。また、リフレクタ本体６３ａが実装基板６４に載置されることによって、実装基板６４のチップ実装部上に設けられた発光ダイオード６２がリフレクタ孔６３ｃの内部に配置され、これにより発光ダイオード６２が反射面６３ｂによって囲まれた状態になっている。
【００２９】
そして、上述のようなリフレクタ６３は、照明筐体６１に対し、発光ダイオード６２及び実装基板６４が取り付けられた状態において、図示略のねじ止め手段や係止爪による係合手段等によって取り付けられるように構成される。
なお、図３（ａ）に例示するリフレクタ６３は、リフレクタ孔６３ｃの平面視形状が僅かに長円とされているが、平面視形状が真円状のリフレクタ孔としてもよく、何ら限定されるものではない。
【００３０】
本実施形態の照明装置１に用いられる、上述のような照明モジュール６は、例えば、以下に詳述するような仕様で構成することができる。
リフレクタとしては、図２（ａ）、（ｂ）に示す概略図のような構成において、例えば、放物面からなるリフレクタ穴６３ｃが１６mmピッチで２行×１５列で配列された、２４０mm×３２mmの長方形状のリフレクタ６３を１単位とする。そして、上記リフレクタ６３と、該リフレクタ６３に合わせた寸法形状とされ、且つ複数の発光ダイオード６２が取り付けられた実装基板６４とが一対とされている。ここで、上記リフレクタ穴６３ｃに合わせ、発光ダイオード６２を各穴に配し、穴の中心軸と発光ダイオード６２の中心軸（図示例においては発光ダイオード６２が被覆される蛍光体含有透明樹脂体６０の中心軸）とが合致する様に位置決めされる。
また、リフレクタ６３は、ポリカーボネイト材料をインジェクション成型することによって得ることができ、リフレクタ穴６３ｃ内の表面にアルミニウムの蒸着が施され、鏡面反射できる構成とすることができる。
【００３１】
また、発光ダイオード６２としては、例えば、０．３５mm角×高さ８０μmの青色ＬＥＤチップからなる発光ダイオードを用いることができる。そして、図３（ａ）、（ｂ）に示すように、このような発光ダイオード６２が３個実装された状態で、黄色発光する蛍光体が透明樹脂に含有されてなる蛍光体含有透明樹脂体６０で封止することにより、白色発光可能な構成とすることができる。また、本例で用いられる発光ダイオード６２は、例えば、２０ｍＡの駆動電流を印加した際、１個あたり１０Ｖの発光出力を発生するものを用いることができる。
さらに、本実施形態では、ＬＥＤチップからなる発光ダイオード６２に代わり、白色ＬＥＤパッケージ等を用いた構成とすることもできる。
そして、上述のような発光ダイオード６２が実装される実装基板６４には、後述のケーブル７が接続され、このケーブル７により、照明モジュール６が、天井フレーム２の中空部４内に設置される後述の電源装置８に配線接続される構成とすることができる。
以上のように構成された照明モジュール６は、収納凹部５１内にワンタッチで脱着することが可能である。
【００３２】
ケーブル７は、実装基板６４に備えられた外部端子６４ｇに接続されることによって発光ダイオード６２に駆動電流を供給する配電ケーブルであり、従来公知の配電用のケーブルを用いて構成することができる。
本実施形態のケーブル７は、収納凹部５１に備えられた図示略の孔部に挿通されることにより、中空部４内に導入され、後述の電源装置８から出力されるＬＥＤ用駆動電流を実装基板６４（発光ダイオード６２）に供給する。
【００３３】
電源装置８は、中空部４内に備えられ、建物天井から導出して設けられる商用電源ケーブルからの供給電源を所定の電圧電流に変換し、定電圧並びに定電流として発光ダイオード６２に供給するものである。
電源装置８としては、発光ダイオードに安定した駆動電流を供給できるものであればよく、従来公知の電源装置を用いることができる。
【００３４】
本実施形態の照明装置１は、天井フレーム２内に設けられた収納凹部５１内に、上述した構成の照明モジュール６が収納され、また、中空部４内にケーブル７及び電源装置８が配され、組み付けられた状態で、例えば、クリーンルーム等の設置場所に搬入される。これにより、建物天井に対し、ユニット型とされた照明装置１を取り付ける施工方法となるので、工事中に面倒な配線作業等を行う必要が無く、短期間で効率的に工事を行なうことができるというものである。
【００３５】
なお、本実施形態の照明装置１では、照明モジュール６の収納凹部５１内への取付並びに固定を、弾性部材６８ａを有するねじ込みノブ６８の、メインフレーム５に設けられた係止部５８に対する係合によって行なう構成としているが、本発明に係る照明装置はこれには限定されない。
例えば、図４に示す例のように、コの字形状とされた照明筐体７１の先端部７１ａを筒状に折り返して曲げられた形状とし、照明モジュール７０を収納凹部９０内に収納した際、先端部７１ａが弾性変形によって収納凹部９０内に設けられた係止部９０ａに入り込んで係合する構成としても良い。
【００３６】
また、図５に示す例のように、コの字形状とされた照明筐体８１の側壁８１ａに、図示略のばね手段等によって付勢され、水平方向に可動とされた係合突起８１ｂを設け、照明モジュール８０を収納凹部９１内に収納した際、係合突起８１ｂが収納凹部９１内に設けられた係止部９１ａに入り込んで係合する構成としても良い。
【００３７】
また、図１に示す例の照明装置１では、収納凹部５１の開口部５１ａへの蓋部５２の取付構造を、爪部５２ｂが収納凹部５１内の内縁部５１ｂに係止する片側引っ掛け構造とされ、皿ねじ５７によってねじ止め固定される構成としているが、これには限定されない。
例えば、図４に示す例のように、収納凹部９０において、開口部９０ｂを覆う蓋部９２が取り付けられ、該蓋部９２に備えられた爪部９２ａが収納凹部９０の係止部９０ｃに係止する両側係止構造としても良い。
また、図５に示す例のように、収納凹部９１において、開口部９１ｂを覆う蓋部９３が取り付けられ、該蓋部９３に備えられた側部９３ａが照明筐体８１の側壁８１ａに対して嵌め込まれるように取り付けられた構造としても良い。
【００３８】
以上説明したように、本実施形態の照明装置によれば、天井フレーム２に、照明モジュール６を収納する収納凹部５１を設け、該収納凹部５１に照明モジュール６を組み込んだ構成なので、クリーンルーム等、照明装置１の設置場所において、容易に照明装置の組み付け作業を行うことができ、短い工事期間で設置することが可能となり、また、照明モジュールが設置場所に突出することが無いので、設置場所、例えばクリーンルーム等のスペースを有効に使用することが可能となる。
【００３９】
また、複数の発光ダイオード６２並びにリフレクタ（リフレクタ穴６３ｃ）が備えられた照明モジュール６とすることにより、蛍光灯等の発光体を使用した照明に比べて長寿命となるので、設置場所における交換作業等の頻度を低減することが可能となる。また、照明モジュール６の交換の必要が生じた場合でも、複数の発光ダイオード５２が備えられた照明モジュール６をワンタッチで容易に脱着できるので、安全且つ容易に交換作業を行うことが可能となる。
また、照明モジュール６が照明装置１の外部に露出しない構成なので、発光手段である発光ダイオード６２に使用者の体や器具が接触することが無いため、照明モジュールの破損等を防止することができるとともに、照明モジュール６に塵埃等が堆積するのを防止することができる。
従って、スペース効率及び設置工事時の作業性に優れるとともに、メンテナンス並びに耐塵埃性に優れ、建築コスト及びランニングコストの低減が実現できる照明装置が得られる。
【００４０】
［システム天井］
本実施形態のシステム天井１０は、上述した本発明に係る照明装置が用いられてなり、図６に示すように、上記照明装置１が複数備えられているとともに、該照明装置１の天井フレーム２に設けられた収納凹部５１の上面５ａに、空調ユニット２０、エアフィルタユニット３０又は遮蔽パネル４０の少なくとも何れかが、各々の縁部が戴置されるように備えられ、概略構成される。また、図示例においては、上述した空調ユニット２０、エアフィルタユニット３０及び遮蔽パネル４０の何れもが備えられた構成とされている。
【００４１】
図６に示すシステム天井１０は、建物天井（上階スラブ）１１に、上記照明装置１が、吊りボルト１２及び懸吊具１５並びに天井吊りボルト１４を介して取り付けられており、図示例では平行に縦列させるように配して取り付けられている。また、これら照明装置１の間には、長方形状の照明装置１と直交する方向で、長方形状の支持梁１３が、図示略のねじ止め手段によって複数取り付けられており、これによって図示例のような格子状の梁が形成されている。
【００４２】
そして、上述のような、照明装置１と支持梁１３とで形成される格子領域に、空調ユニット２０及びエアフィルタユニット３０並びに遮蔽パネル４０を適宜配置して組み付ける。この際、上記空調ユニット２０、エアフィルタユニット３０及び遮蔽パネル４０は、各々の周縁部が照明装置１のメインフレーム上面５ａに載置されることによって建物天井１１の下方に支持される。
【００４３】
ここで、照明装置１は、発光ダイオード６２に駆動電流を供給するケーブル７及び電源装置８が中空部４内に予め収納されているので、建物天井１１に吊設した状態で複雑な配線作業を行う必要が無く、工事が容易となり、また、作業条件が向上するとともに工期の大幅な短縮が可能となる。また、照明モジュール６が天井フレーム２の収納凹部５１内に収納された構成なので、設置場所の空間に照明モジュール（照明手段）が突出することが無く、例えば、建物天井１１の高さ変更等、設計や施工上の変更が生じることが無く、また、設置場所のスペースを犠牲にすることが無い。
【００４４】
なお、図６に例示する本実施形態のシステム天井１０では、上述のように、建物天井１１に、照明装置１が、吊りボルト１２及び懸吊具１５並びに天井吊りボルト１４を介して取り付けられた構成としているが、これには限定されない。例えば、懸吊具１５並びに天井吊りボルト１４を介さずに、吊りボルト１２が建物天井１１に取り付けられた構成としても良いし、又は、照明装置１の取付部３が建物天井１１に直付けされた構成とすることもできる。
また、図示例のシステム天井１０では、照明装置１と直交するように支持梁１３が複数取り付けられ、格子状の梁が形成された構成としているが、例えば、支持梁１３を使用せず、格子を形成する全ての梁を照明装置１で構成することも可能である。
【００４５】
上述したような本実施形態のシステム天井１０によれば、本発明に係る、天井フレームに設けられた収納凹部に照明モジュールが収納されてなる照明装置を用いて構成されるシステム天井なので、照明装置１と同様の効果が得られる。例えば、本実施形態のシステム天井１０をクリーンルーム等の天井として設置した場合、設置場所において、容易に照明装置１や空調ユニット２０、エアフィルタユニット３０や遮蔽パネル４０等の組み付け工事を行なうことができ、短い工事期間で設置することが可能となる。また、照明モジュールが設置場所であるクリーンルーム内に突出することが無いので、設置場所のスペースを有効に使用することが可能となる。
【００４６】
また、システム天井１０に備えられる照明装置１は、上述したように、複数の発光ダイオード６２並びにリフレクタ６３（リフレクタ孔６３ｃ）を具備した照明モジュール６を用いたものなので長寿命の照明となり、交換作業等の頻度を低減でき、また、照明モジュール６をワンタッチで容易且つ安全に脱着できる。
従って、スペース効率及び設置工事時の作業性に優れるとともに、メンテナンス並びに耐塵埃性に優れ、建築コスト及びランニングコストの低減が実現できるシステム天井１０が得られる。
【００４７】
なお、本実施形態のシステム天井１０は、クリーンルームに設置する例を基本に説明しているが、本発明に係る照明装置及びシステム天井は、これに限らず、例えば、各種検査機関や食品工場、又は倉庫等、各種建物空間において何ら制限無く使用することが可能であり、この場合にも、上述と同様の効果が得られることは言うまでも無い。
【図面の簡単な説明】
【００４８】
【図１】本発明に係る照明装置の一例を模式的に説明する図であり、照明装置の構造を示す破断図である。
【図２】本発明に係る照明装置の一例を模式的に説明する図であり、（ａ）が照明モジュール全体を示す平面図、（ｂ）が（ａ）のＡ−Ａ´断面図である。
【図３】発明に係る照明装置の一例を模式的に説明する図であり、（ａ）が照明モジュールの部分平面図、（ｂ）が（ａ）のＢ−Ｂ´部分断面図である。
【図４】発明に係る照明装置の他例を模式的に説明する図であり、照明モジュールの取付形態を示す破断図である。
【図５】発明に係る照明装置の他例を模式的に説明する図であり、照明モジュールの取付形態を示す破断図である。
【図６】本発明に係るシステム天井の一例を模式的に説明する図であり、クリーンルームの天井としてシステム天井を取り付けた状態を示す概略図である。
【図７】従来の照明装置を説明する概略図である。
【符号の説明】
【００４９】
１…照明装置、２…天井フレーム、３…取付部、４…中空部、５…メインフレーム、５ａ…縁部、５１、９０、９１…収納凹部、６、７０、８０…照明モジュール、６１、７１、８１…照明筐体、６２…発光ダイオード、６３…リフレクタ、６３ｃ…リフレクタ孔、７…ケーブル、８…電源装置、１０…システム天井、１１…建物天井、２０…空調ユニット、３０…エアフィルタユニット、４０…遮蔽パネル
【図１】
2008226659.tif 000003
【図２】
2008226659.tif 000004
【図３】
2008226659.tif 000005
【図４】
2008226659.tif 000006
【図５】
2008226659.tif 000007
【図６】
2008226659.tif 000008
【図７】
2008226659.tif 000009